(57)【要約】【課題】ＲＣ床版を用いた２本又は３本の主桁をもつ少数主桁橋における製作コストの低減効果を向上する。【解決手段】２本又は３本の主桁１と、主桁１同士を連結する複数の横桁２により、主鉄筋が橋軸方向に略平行に配置された鉄筋コンクリート床版４を少なくとも４辺で支持する少数主桁橋において、横桁２をトラスにより構成する。【選択図】図１
2008169573.tif 000002
【特許請求の範囲】
【請求項１】
２本又は３本の主桁と、前記主桁同士を連結する複数の横桁と、により主鉄筋が橋軸方向と略平行に配置された鉄筋コンクリート床版を少なくとも４辺で支持する少数主桁橋において、前記横桁がトラスからなる少数主桁橋。
【請求項２】
前記トラスの形式は、ハウトラス形、プラットトラス形及びワーレントラス形から選ばれる少なくとも１つである請求項１に記載の少数主桁橋。
【請求項３】
前記横桁の少なくとも一部に対傾構を用いた請求項１に記載の少数主桁橋。
【請求項４】
前記横桁の少なくとも一部に引張材を用いた請求項１に記載の少数主桁橋。
【発明の詳細な説明】
【技術分野】
【０００１】
本発明は、主桁が２本又は３本である少数主桁橋に関し、特に鉄筋コンクリート床版を用いた少数主桁橋において、横桁を軽量化することにより製作コストを低減した少数主桁橋に関する。
【背景技術】
【０００２】
近年では、製作コストや維持管理コストの低減と現場作業の省力化のために、鉄筋コンクリート床版（以下、「ＲＣ床版」という。）を用いた多主桁橋に代わり、プレストレスコンクリート床版（以下、「ＰＣ床版」という。）や合成床版を用いた少数主桁橋が採用されている（非特許文献１を参照）。
【０００３】
例えば、少数主桁橋の１種であるＰＣ床版２主桁橋３０は、図５に示すように、プレートガーダからなる鋼製の主桁３１が２本平行に配設され、各主桁３１の間は所定間隔毎に横桁３２で連結補強されており、上部にはＰＣ床版３３が載置されている。ＰＣ床版３３は、ＰＣ鋼材３５及びコンクリート３６から構成され、その上にアスファルト舗装３７が施されている。ＰＣ鋼材３５はシース３８内に挿入され、その両端に螺着させた定着ナット３９によって緊締されている。
【０００４】
しかし、このような少数主桁橋には、以下のような問題がある。
【０００５】
（１）少数の主桁の採用により橋梁の全体工事費は、従来の多主桁橋に比べて安くなるが、ＰＣ床版はＲＣ床版に比べて高価であるため、支間が１５〜３０ｍ程度の小規模橋梁では、全体工事費に占める床版費用の割合が多くなり、全体工事費のコスト低減効果が発揮され難いこと。
【０００６】
（２）床版の補修や取り替えが必要となった場合には、ＰＣ床版の場合は全面交通止めが、合成床版の場合は増設縦桁などの大規模な構造補強が、それぞれ必要となること。
【０００７】
（３）ＰＣ床版は、現場施工管理に十分な管理が必要であり、ＲＣ床版の施工に比較して高度な施工技術が必要とされること。
【０００８】
そこで、床版支間を従来の主桁間隔ではなく横桁間隔とすることにより、広幅員であってもＲＣ床版を用いることができる少数主桁橋が提案されている（非特許文献２を参照）。
【０００９】
このＲＣ床版を用いた少数主桁橋では、例えば図６に示すように、一対の主桁１と横桁２によって、主鉄筋３を車輌進行方向と平行に配置したＲＣ床版４を４辺支持しているが、橋軸方向に従来よりも多数の横桁２を密に配置する必要があるため、図７に示すように、横桁２を充腹構造にすると橋梁の重量が増加して、ＲＣ床版を用いた少数主桁橋の製作コストの低減効果が低下してしまうという問題があった。
【非特許文献１】野田清人、「新しい鋼橋の誕生II改訂版」、社団法人日本橋梁建設協会、２００４年１２月、ｐ．４
【非特許文献２】石崎 茂、外１名、「２方向支持されたＲＣ床版の劣化機構と耐久性評価法に関する研究」、土木学会論文集、２００３年７月、Ｎｏ．７３８、Ｉ−６４、ｐ．２５７−２７０
【発明の開示】
【発明が解決しようとする課題】
【００１０】
本発明の目的は、ＲＣ床版を用いた２本又は３本の主桁をもつ少数主桁橋における製作コストの低減効果を向上することにある。
【課題を解決するための手段】
【００１１】
上記の目的を達成するため、本発明は、２本又は３本の主桁と、前記主桁同士を連結する複数の横桁とによって主鉄筋が橋軸方向と略平行に配置された鉄筋コンクリート床版を少なくとも４辺で支持する２主桁橋において、横桁をトラスから構成することを特徴とする少数主桁橋である。
【００１２】
トラスの形式は、ハウトラス形、プラットトラス形及びワーレントラス形から選ばれる少なくとも１つであることが望ましい。
【００１３】
また、横桁の少なくとも一部に、対傾構又は引張部材を用いるようにしてもよい。
【発明の効果】
【００１４】
本発明によれば、ＲＣ床版を用いた２本又は３本の主桁をもつ少数主桁橋における横桁をトラスにより構成するようにしたので、橋梁の重量を減少させることができるため、ＲＣ床版を用いた少数主桁橋における製作コストの低減効果を向上することができる。
【発明を実施するための最良の形態】
【００１５】
以下に、本発明の実施の形態について、図面を参照して説明する。
【００１６】
図１は、本発明の実施形態からなるＲＣ床版を用いた少数主桁橋の一例である。
【００１７】
本実施形態においては、上弦材１０、下弦材１１及び複数の斜材１２からなるトラスにより横桁を構成している。上弦材１０にはＨ形鋼が、下弦材１１と斜材１２にはＬ形鋼又はＣＴ形鋼がそれぞれ用いられ、ガセットプレート１３を介して互いに接続されている。
【００１８】
トラスは、上弦材１０の上辺が主桁１の上フランジ１ａの底面に接するように垂直補剛材１４を介して主桁１のウェブ１ｂに固定され、斜材１２に加わる圧縮力と引張力によりＲＣ床版４を支持している。
【００１９】
このように、横桁をトラスから構成することにより、鋼材の使用量を減らして橋梁の重量を減少させることができるため、橋梁の製作コストの低減効果を向上させることができる。
【００２０】
また、トラスの構成部品に市販の形鋼を用いることにより、ＲＣ床版を用いた少数主桁橋における製作コストの低減効果をより向上させることができる。
【００２１】
なお、図１では、トラス形式としてワーレントラス形を例示しているが、ハウトラス形、プラットトラス形でもよく、また垂直材を補助的に用いたそれら３つの形式の折衷構造であってもよい。
【００２２】
図２は、本発明の別の実施形態からなるＲＣ床版を用いた少数主桁橋の一例である。
【００２３】
この実施形態では、横桁の一部に対傾構２０を用いている。対傾構２０は、Ｈ形鋼や溝形鋼からなる上弦材２１と、ＣＴ形鋼からなる下弦材２２、及びそれらをガセットプレート２４を介して接続する複数の斜材２３と垂直材２５から一体的に構成され、垂直材２５に加わる圧縮力と斜材２３に加わる引張力によりＲＣ床版４を支持している。
【００２４】
このように、横桁２の一部にあらかじめ工場で製作可能な対傾構２０を用いることにより、製作現場における施工作業を容易なものとすることができるため、ＲＣ床版を用いた少数主桁橋における製作コストの低減効果を更に向上させることができる。
【００２５】
図３は、本発明の更に別の実施形態からなるＲＣ床版を用いた少数主桁橋の一例である。
【００２６】
この実施形態では、Ｈ形鋼や溝形鋼からなる上弦材２６に垂設された垂直材２７と、上弦材２６の両端部にガセットプレート２８を介して固定され、垂直材２７の下端部に接続する引張材２９から横桁を構成している。この垂直材２７に加わる圧縮力と引張材２９に加わる引張力によりＲＣ床版４を支持することができる。引張材２９としては、棒鋼が好ましく用いられるが、橋梁の幅員が大きくなる場合には鋼製のケーブルを用いてもよい。
【００２７】
このように、横桁の一部に引張材を用いることにより、鋼材の使用量を減らして橋梁の重量を減少させると共に、製作現場における施工を容易なものとすることができるため、ＲＣ床版を用いた少数主桁橋における製作コストの低減効果を更に向上させることができる。
【００２８】
なお、上記のいずれの例においても主桁の本数を２本としているが、例えば図４に示すように、主桁が３本の場合にも適用できることはもちろんである。
【図面の簡単な説明】
【００２９】
【図１】本発明の実施形態からなる少数主桁橋である２主桁橋の橋軸方向に垂直な断面図である。
【図２】本発明の別の実施形態からなる少数主桁橋である２主桁橋の橋軸方向に垂直な断面図である。
【図３】本発明の更に別の実施形態からなる少数主桁橋である２主桁橋の橋軸方向に垂直な断面図である。
【図４】本発明の実施形態からなる少数主桁橋である３主桁橋の橋軸方向に垂直な断面図である。
【図５】ＰＣ床版２主桁橋の橋軸方向に垂直な断面図である。
【図６】従来のＲＣ床版を用いた２主桁橋の一部断面を示す斜視図である。
【図７】従来のＲＣ床版を用いた２主桁橋の橋軸方向に垂直な断面図である。
【符号の説明】
【００３０】
１  主桁
１ａ  上フランジ
１ｂ  ウェブ
２  横桁
３  主鉄筋
４  ＲＣ床版
１０、２１、２６  上弦材
１１、２２  下弦材
１２  斜材
１３、２４、２８  ガセットプレート
１４  垂直補剛材
２０  対傾構
２３  斜材
２５、２７  垂直材
２９  引張材
【図１】
2008169573.tif 000003
【図２】
2008169573.tif 000004
【図３】
2008169573.tif 000005
【図４】
2008169573.tif 000006
【図５】
2008169573.tif 000007
【図６】
2008169573.tif 000008
【図７】
2008169573.tif 000009